【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】 真菌又ミルデューの生長を制御する方法であって、ストロビルリン（strobilurin）を含む殺真菌剤と水性のシステムを組み合わせることを含み、該水性のシステムが抄紙機、ウエット・ラップ、及び熱交換システムの少なくとも一種を含む、前記の方法。
【請求項２】 水性のシステムがウエット・ラップを含み、そしてストロビルリンがウエット・ラップと組み合わされる、請求項１に記載の方法。
【請求項３】 ウエット・ラップが嵩高い物品に施用され、そしてストロビルリンが該嵩高い物品に、該嵩高い物品の表面積を基準として少なくとも約２０ｍｇ／ｍ2の量で施用される、請求項２に記載の方法。
【請求項４】 水性のシステムを有効な抗真菌量のストロビルリンと組み合わせることを含む、真菌又はミルデューの生長を制御する方法であって、水性のシステムが抄紙機、ウエット・ラップ、及び熱交換システムの少なくとも１種を含む、前記の方法。
【請求項５】 ウエット・ラップと、ストロビルリンを含む殺真菌剤をと組み合わせることを含む、ウエット・ラップを保存する方法。
【請求項６】 紙製品を含む物品を防黴又は防ミルデューするための方法であって、該方法が、ストロビルリンを含む組成物を紙製品を含む物品と組み合わせることを含む、前記の方法。
【請求項７】 抗真菌料のストロビルリンを含む紙製品。
【手続補正２】
【補正対象書類名】明細書
【補正対象項目名】００７３
【補正方法】変更
【補正の内容】
【００７３】
本発明の面をさらに十分に理解し得るように、本発明をある特定の好ましい態様と関連して記述してきたが、これらの特定の態様に本発明を限定するものではない。反対に、特許請求の範囲によって定義される発明の範囲内に含まれるものとして、全ての代替、習性及び均等なものをカバーすると意図される。
［本発明の態様］
［１］ 真菌又ミルデューの生長を制御する方法であって、ストロビルリン（strobilurin）を含む殺真菌剤と水性のシステムを組み合わせることを含み、該水性のシステムが抄紙機、ウエット・ラップ、及び熱交換システムの少なくとも一種を含む、前記の方法。
［２］ 水性のシステムが貯蔵タンクを含む抄紙機を含み、そしてストロビルリンが貯蔵タンク内で繊維完成紙料と組み合わされる、１に記載の方法。
［３］ 水性のシステムがパルプリファイナーを含む抄紙機を含み、ストロビルリンがパルプリファイナー内で繊維完成紙料と組み合わされる、１に記載の方法。
［４］ 水性のシステムが貯蔵チェストを含む抄紙機を含み、ストロビルリンが貯蔵チェスト内で繊維完成紙料と組み合わされる、１に記載の方法。
［５］ 水性のシステムがフロー・ボックスを含む抄紙機を含み、ストロビルリンがフローボックス内で繊維完成紙料と組み合わされる、１に記載の方法。
［６］ 水性のシステムが製紙完成紙料を含み、ストロビルリンが抄紙機完成紙料と組み合わされる、１に記載の方法。
［７］ 水性のシステムがウエット・ラップを含み、そしてストロビルリンがウエット・ラップと組み合わされる、１に記載の方法。
［８］ ストロビルリンがウエット・ラップ中に、少なくとも５０重量％の水含有量のウエット・ラップを基準として、少なくとも約１ｐｐｍの濃度で存在する、７に記載の方法。
［９］ ストロビルリンがウエット・ラップ中に、少なくとも５０重量％の水含有量のウエット・ラップを基準として、少なくとも約２５ｐｐｍの濃度で存在する、８に記載の方法。
［１０］ ストロビルリンがウエット・ラップ中に、少なくとも５０重量％の水含有量のウエット・ラップを基準として、５０００ｐｐｍ以下の濃度で存在する、７に記載の方法。
［１１］ ウエット・ラップが嵩高い物品に施用され、そしてストロビルリンが該嵩高い物品に、該嵩高い物品の表面積を基準として少なくとも約２０ｍｇ／ｍ2の量で施用される、７に記載の方法。
［１２］ ストロビルリンが該嵩高い物品に、該嵩高い物品の表面積を基準として少なくとも約３０ｍｇ／ｍ2の量で施用される、１１に記載の方法。
［１３］ ストロビルリンが該嵩高い物品に、該嵩高い物品の表面積を基準として約６００ｍｇ／ｍ2以下の量で施用される、１２に記載の方法。
［１４］ ストロビルリンが、クレソキシムメチル（kresoxim methyl）、アゾキシストロビン、メチル(E)-2-[2-[6-(トリフルオロメチル)ピリド-2-イルオキシメチル]-フェニル]-3-メトキシアクリレート、ストロビルリンA及びストロビルリンBの少なくとも１種を含む、１に記載の方法。
［１５］ 水性のシステムが熱交換システム中の流体を含み、そしてストロビルリンが該流体と組み合わされる、１に記載の方法。
［１６］ 熱交換システムが冷却塔を含む、１５に記載の方法。
［１７］ ストロビルリンが、流体の重量を基準として少なくとも約１００ｐｐｍの濃度を有する、１５に記載の方法。
［１８］ 水性のシステムを有効な抗真菌量のストロビルリンと組み合わせることを含む、真菌又はミルデューの生長を制御する方法であって、水性のシステムが抄紙機、ウエット・ラップ、及び熱交換システムの少なくとも１種を含む、前記の方法。
［１９］ ストロビルリンが、クレソキシムメチル、アゾキシストロビン、メチル(E)-2-[2-[6-(トリフルオロメチル)ピリド-2-イルオキシメチル]-フェニル]-3-メトキシアクリレート、ストロビルリンA、及びストロビルリンBの少なくとも１種を含む、１８に記載の方法。
［２０］ 水性のシステムが貯蔵タンクを含む抄紙機を含み、そしてストロビルリンが貯蔵タンク内の繊維完成紙料と組み合わされる、１８に記載の方法。
［２１］ 水性のシステムがパルプリファイナーを含む抄紙機を含み、そしてストロビルリンがパルプリファイナー中の繊維完成紙料と組み合わされる、１８に記載の方法。
［２２］ 水性のシステムが貯蔵チェストを含む抄紙機を含み、そしてストロビルリンが貯蔵チェスト中の繊維完成紙料と組み合わされる、１８に記載の方法。
［２３］ 水性のシステムがフローボックスを含む抄紙機を含み、そしてストリビルリンがフローボックス内で製紙用完成紙料と組み合わされる、１８に記載の方法。
［２４］ 水性のシステムが製紙用完成紙料を含み、そしてストロビルリンが製紙用完成紙料と組み合わされる、１８に記載の方法。
［２５］ 水性のシステムがウエット・ラップを含み、そしてストロビルリンがウエット・ラップと組み合わされる、１８に記載の方法。
［２６］ 水性のシステムが熱交換システム中の流体を含み、そしてストロビルリンが該流体と組み合わされる、１８に記載の方法。
［２７］ ウエット・ラップと、ストロビルリンを含む殺真菌剤をと組み合わせることを含む、ウエット・ラップを保存する方法。
［２８］ 殺真菌剤が、５０％の水含量のウエット・ラップの重量を基準として、約１ｐｐｍ〜５００ｐｐｍのストロビルリンの濃度で、ウエット・ラップと組み合わされる、２７に記載の方法。
［２９］ ウエット・ラップが嵩高い物品へ形成され、そしてストロビルリンが該嵩高い物品に、該嵩高い物品の表面積を基準として約２０ｍｇ／ｍ2〜６００ｍｇ／ｍ2の量で施用される、２７に記載の方法。
［３０］ ウエット・ラップが殺真菌剤を含む繊維完成紙料から得られる、２７に記載の方法。
［３１］ ストロビルリンが、クレソキシムメチル、アゾキシストロビン、メチル(E)-2-[2-[6-(トリフルオロメチル)ピリド-2-イルオキシメチル]-フェニル]-3-メトキシアクリレート、ストロビルリンA及びストロビルリンBの少なくとも１種を含む、２７に記載の方法。
［３２］ 紙製品を含む物品を防黴又は防ミルデューするための方法であって、該方法が、ストロビルリンを含む組成物を紙製品を含む物品と組み合わせることを含む、前記の方法。
［３３］ 紙製品が、乾燥重量基準で、約１０００ｐｐｍ以下のストロビルリンを含む３２に記載の方法。
［３４］ ストロビルリンが、クレソキシムメチル、アゾキシストロビン、メチル(E)-2-[2-[6-(トリフルオロメチル)ピリド-2-イルオキシメチル]-フェニル]-3-メトキシアクリレート、ストロビルリンA、及びストロビルリンBの少なくとも１種を含む、３２に記載の方法。
［３５］ 抗真菌料のストロビルリンを含む紙製品。
［３６］ 乾燥重量基準でストロビルリンを少なくとも約５０ｐｐｍを含む、３５に記載の紙製品。
［３７］ 乾燥重量基準でストロビルリンを約１０００ｐｐｍ以下を含む、３６に記載の紙製品。
［３８］ ストロビルリンが、クレソキシム（kresoxim）メチル、アゾキシストロビン、メチル(E)-2-[2-[6-(トリフルオロメチル)ピリド-2-イルオキシメチル]-フェニル]-3-メトキシアクリレート、ストロビルリンA、及びストロビルリンBの少なくとも１種を含む、３５に記載の紙製品。